(57)【要約】【課題】複数個を組み合わせて貯留空間構造体を形成するための空間構築ブロックにおいて、従来に比して雨水等を貯留するための貯留空間率を十分に確保することができる空間構築ブロックを提供する。【解決手段】本発明は、複数個を組み合わせて貯留空間構造体を形成するための空間構築ブロック１であって、該ブロック１は基盤部２と、該基盤部２側に開口し、他端が閉じられた筒状部３とを有し、筒状部３の閉じられた端部３ｂ側には、筒状部３の内外を貫通した透水孔８が設けられていることを特徴とする空間構築ブロックである。【選択図】図１
2013194458.tif 000002
【特許請求の範囲】
【請求項１】
複数個を組み合わせて貯留空間構造体を形成するための空間構築ブロックであって、該ブロックは平板状の基盤部と、該基盤部側に開口し、他端が閉じられた筒状部とを有し、筒状部の閉じられた端部側には、筒状部の内外を貫通した透水孔が設けられていることを特徴とする空間構築ブロック。
【請求項２】
ブロック部材相互を連結するための連結手段が設けられていることを特徴とする請求項１記載の空間構築ブロック。
【請求項３】
連結手段が筒状部に設けられていることを特徴とする請求項１又は２記載の空間構築ブロック。
【発明の詳細な説明】
【技術分野】
【０００１】
本発明は、雨水貯留浸透設備等において、貯留空間構造体を形成するための空間構築ブロックに関する。
【背景技術】
【０００２】
近年の急激な都市化により、田畑、山林等の地形が舗装やコンクリート建造物よって覆われたことにより、雨水の地中への浸透が妨げられ、集中豪雨等の発生によって浸水災害が多発している。このような浸水災害への対策として、雨水を地下空間の雨水貯留浸透設備等に一時的に貯留することが行われている。近年、この種の雨水貯留浸透設備として、貯水空間内に複数の空間構築ブロックを組み合わせて貯留空間構造体を構築し、空間構築ブロック間の空間を雨水等の貯留空間として確保するとともに、貯留空間を覆っている被覆層に加わる荷重を軽減させるようにした構造の雨水貯留浸透設備が使用されている。
【０００３】
この種の雨水貯水浸透設備において、貯留空間構造体を構築するために使用される空間構築ブロックとして、平板部と、平板部側に開口し他端が閉じられた筒状部とを有するものが提案されている（特許文献１）。
【先行技術文献】
【特許文献】
【０００４】
【特許文献１】特許第４８６３０５４号公報
【発明の概要】
【発明が解決しようとする課題】
【０００５】
特許文献１に記載されている空間構築ブロックは、筒状部の閉じられた面に契合手段を有し、該契合部によって上下のブロックを連結したものを、平面方向及び上限方向に並べて構造体を構築するように構成されているが、ブロックの平坦部側とは反対側の端部が閉じられているため、筒状部内に雨水が十分に浸透することができず、十分な貯留空間を確保できるというものではなかった。
【０００６】
本発明は上記従来技術の欠点に鑑みなされたもので、従来に比して貯水空間率をより大きく確保することができる空間構築ブロックを提供することを目的とする。
【課題を解決するための手段】
【０００７】
即ち本発明は、
（１）複数個を組み合わせて貯留空間構造体を形成するための空間構築ブロックであって、該ブロックは基盤部と、該基盤部側に開口し他端が閉じられた筒状部とを有し、筒状部の閉じられた端部側には、筒状部の内外を貫通した透水孔が設けられていることを特徴とする空間構築ブロック、
（２）ブロック部材相互を連結するための連結手段が設けられていることを特徴とする上記（１）の空間構築ブロック、
（３）連結手段が筒状部に設けられていることを特徴とする上記（１）又は（２）の空間構築ブロック、
を要旨とするものである。
【発明の効果】
【０００８】
本発明の空間構築ブロックは、筒状部の閉じられた端部に、筒状部の内外を貫通した透水孔を設けたため、筒状部の閉じられた端部をつき合わせて空間構築ブロックを上下に積み重ねた時、雨水は下側の空間構築ブロック筒状部の基盤側開口部から、他端部の透水孔を経て、上側の空間構築ブロックの筒状部内に流通できるため、空間構築ブロックを複数組み合わせて貯留空間構造体において、各ブロックの筒状部内を雨水で完全に満たすことができ、貯留空間構造体の強度を低下させることなく、貯留空間率を十分に確保することができるという効果を奏する。
【図面の簡単な説明】
【０００９】
【図１】本発明の空間構築ブロックの一実施例を示す斜視図である。
【図２】図２のＩＩ−ＩＩ線に沿う縦断面図である。
【図３】筒状部の閉じられた端部の平面図である。
【図４】空間構築ブロックを重ねて連結した状態を示す側面図である。
【発明を実施するための形態】
【００１０】
以下、本発明の一実施例を図面に基づき説明する。
図１は本発明の空間構築ブロック１の一実施例を示し、該空間構築ブロック１は、上下に積み重ねられるとともに、前後左右に複数を配列して貯留空間構造体を構成するように構成されている。図１に示すように本発明の空間構築ブロック１は、平板状の基盤部２と、該基盤部２から突出した筒状部３とを有し、筒状部３の側面には、筒状部３の補強リブ４が複数設けられている。筒状部３の基盤部２側の端部３ａは、図２に示すように開口しており、他端３ｂは閉じられている。基盤部２には、必要に応じて基盤部補強用のリブ５が設けられている。空間構築ブロック１は、プラスチックの射出成型等により、基盤部２と筒状部３とを一体成型して形成することができる。
【００１１】
筒状部３の側面に設けられた各補強リブ４の端部３ｂ側には、図３に示すように突起６と、該突起６が嵌入可能な凹嵌部７とからなる連結手段が設けられ、筒状部３の閉じられた端部３ｂ側をつき合わせて空間構築ブロック１を上下に連結できるように構成されている。各筒状部３の端部３ｂには、筒状部３の内外を貫通した透水孔８が設けられている。
【００１２】
図４は、筒状部３の閉じられた端部３ｂ側をつき合わせて、２つの空間構築ブロック１ａ、１ｂを上下に連結した状態を示す。連結手段の突起６と凹嵌部７とは、空間構築ブロック１ａ、１ｂの筒状部端部３ｂをつき合わせた時に、第一の空間構築ブロック１ａの突起６が、第二の空間構築ブロック１ｂの凹嵌部７とが対向し、第一の空間構築ブロック１ａの凹嵌部は、第二の空間構築ブロック１ｂの突起６と対向する位置に設けられており、第一の空間構築ブロック１ａの各突起６は第二の空間構築ブロック１ｂの各凹嵌部７に、第二の空間構築ブロック１ｂの各突起６は第一の空間構築ブロック１ａの各凹嵌部７にそれぞれ嵌合し、以て２つの空間構築ブロック１ａ、１ｂが連結されるように構成されている。
【００１３】
図４に示すように、筒状部３に設けられる透水孔８は、２つの空間構築ブロック１ａ、１ｂを重ね合わせて連結した時、相互のブロック１ａ、１ｂの透水孔８が上下に重なる位置に設けられ、上下の筒状部３内に雨水が流通できることが好ましい。その結果、雨水は第一の空間構築ブロック１ａにおける筒状部３の基盤側端部３ａから、透水孔８を通って第二の空間構築ブロック１ｂの筒状部３内に、あるいは第二の空間構築ブロック１ｂにおける筒状部３の基盤側端部３ａから、透水孔８を通って第一の空間構築ブロック１ａの筒状部３内に確実に流入し、各空間構築ブロックの筒状部３内に雨水が完全に充填されるため、雨水の貯留空間率を十分に確保することができる。
【００１４】
上記実施例では、各補強リブ４に設けた突起６と凹嵌部７との嵌合によって第一の空間構築ブロック１ａの端部３ｂと、第二の空間構築ブロック１ｂの端部３ｂとをつき合わせて両構築ブロック１ａ、１ｂを連結するようにした場合を示したが、連結手段としては突起６と凹嵌部７との嵌合によるものに限らず、公知の連結手段を採用することができる。また第一の空間構築ブロック１ａの端部３ｂと、第二の空間構築ブロック１ｂの端部３ｂとを直接連結する場合に限らず、別体の連結部材を介して第一の空間構築ブロック１ａと、第二の空間構築ブロック１ｂとを連結するように構成しても良い。また透水孔８は、第一の空間構築ブロック１ａの筒状部３内から、第二の空間構築ブロック１ｂの筒状部３内に、雨水を確実に流入させて充填することができれば、その形状、大きさ、数は任意に設けることができる。更に、図示した実施例では、平板状の基盤部２に、４つの筒状部３を突出して設けた場合について示したが、空間構築ブロックを上下に複数積み重ね、左右に複数を前後左右に配列することができれば、基盤部の形状は平板状に限らず任意に形成することができ、また筒状部の数、形状も任意に構成することができる。
【符号の説明】
【００１５】
１    空間構築ブロック
２    基盤
３    筒状体
３ａ  筒状体の開口した端部
３ｂ  筒状体の閉じた端部
８  透水孔
【図１】
2013194458.tif 000003
【図２】
2013194458.tif 000004
【図３】
2013194458.tif 000005
【図４】
2013194458.tif 000006